(57)【要約】【課題】エアバッグおよびエアバッグジャケット等複数の保護装置を統合して管理し、衝撃の形態や大きさに応じて保護装置を作動させる。【解決手段】自動二輪車１にエアバッグ１４を設けるとともに乗員が装着するエアバッグジャケット１６を統合的に管理する。通常衝突判定部２１４はＧセンサ１７〜１９の出力に応じて衝突の大きさと方向に応じてエアバッグ１４および／またはエアバッグジャケット１６を作動させる。衝突予知部２１３は車車間通信装置２３で得た他車情報と車速センサ２０やＧＰＳアンテナ２２から入力された自車情報とによって衝突を予知したならば通常衝突判定部２１４に代えて待機時衝突判定部２１５を起動する。待機時衝突判定部２１５は予め衝突態様を判断してＧセンサ１７〜１９の出力を判定するしきい値を、迅速に衝突判定できるように通常衝突判定部２１４で判定する場合と違えた値とする。【選択図】図１
2008247319.tif 000002
【特許請求の範囲】
【請求項１】
乗員に対する外部からの衝撃を緩和する自動二輪車乗員保護装置において、
乗員シートとステアリングハンドルとの間で膨張展開するように配置されたエアバッグと、
乗員が着用するエアバッグジャケットと、
外部から自動二輪車に対して与えられた衝撃に応答して出力を生じる複数の衝撃センサと、
衝突予知手段と、
前記衝撃センサの出力に基づいて得られる減速度および衝撃度がそれぞれのしきい値以上であるか否かで衝突と判定する衝突判定手段とを具備し、
前記衝突判定手段が、衝突判定時に前記複数の衝撃センサ毎の出力に応じて前記エアバッグおよびエアバッグジャケットの少なくとも一方を作動させるとともに、前記衝突予知手段で衝突が予知されたか否かで、衝突待機判定モードか通常衝突判定モードかを選択し、これら各判定モードに応じて前記減速度および衝撃度のそれぞれのしきい値を切り替えるように構成されたことを特徴とする自動二輪車乗員保護装置。
【請求項２】
前記衝突待機判定モードが、前記複数の衝撃センサ毎の出力に応じて正突、斜突、側突、および追突待機判定モードのうち、少なくとも正突待機判定モードを含む複数の判定モードを含んでいることを特徴とする請求項１記載の自動二輪車乗員保護装置。
【請求項３】
前記衝突予知手段が、車車間通信装置で複数の他車から発信された情報および自車情報に基づいて予定時間内に自車との接触位置に至ると予測される他車を特定するように構成されていることを特徴とする請求項１記載の自動二輪車乗員保護装置。
【請求項４】
前記衝突予知手段が、車車間通信装置で複数の他車から発信された情報および自車情報に基づいて予定時間内に自車と衝突する他車を特定するように構成されていることを特徴とする請求項２記載の自動二輪車乗員保護装置。
【請求項５】
前記複数の他車から発信された情報が、該他車の位置、速度、および針路であり、前記自車情報が自車の速度であることを特徴とする請求項３または４記載の自動二輪車乗員保護装置。
【請求項６】
前記他車から発信された情報が、該他車の車重をさらに含み、前記衝突待機判定モードに含まれる各判定モードは、自車と他車との相対速度および該他車の車重に応じて区別される高速衝突モードと低速衝突モードとをさらに含んでいることを特徴とする請求項４記載の自動二輪車乗員保護装置。
【請求項７】
前記衝突予知手段が、前記車車間通信装置に加えて路車間通信装置で検出される情報に基づいて衝突の予知をするように構成されていることを特徴とする請求項３記載の自動二輪車乗員保護装置。
【発明の詳細な説明】
【技術分野】
【０００１】
本発明は、自動二輪車乗員保護装置に関し、特に、車体に加わる衝撃の状況に応じてエアバッグおよびエアバッグジャケットの作動判定を行うことができる自動二輪車乗員保護装置に関する。
【背景技術】
【０００２】
近年、衝撃検出時に膨張展開して乗員が受ける衝撃を軽減させるエアバッグ装置を備えた自動二輪車が開発されている。例えば、特開２００５−１５３６１３号公報には、運転者の上半身に対応する上部エアバッグ装置と、運転者の下半身に対応する下部エアバッグ装置とを備えた自動二輪車が提案されている。また、特開２００６−２１８９７１号公報には、乗員が着用するエアバッグジャケットも提案されている。
【特許文献１】特開２００５−１５３６１３号公報
【特許文献２】特開２００６−２１８９７１号公報
【発明の開示】
【発明が解決しようとする課題】
【０００３】
自動二輪車用エアバッグ装置はＧセンサによる衝撃検知に基づいてエアバッグを作動させるか否かを判断するのが一般的である。また、走行中に車体に対して該車体に搭乗している乗員が所定量以上移動したか否かによってエアバッグジャケットを作動させるか否かを決定することも検討されている。
【０００４】
エアバッグおよびエアバッグジャケットの作動判定を統合的に管理し、車体に加わる衝撃の状況に応じて適宜エアバッグおよびエアバッグジャケットを使い分けできる。
【０００５】
本発明の目的は、エアバッグおよびエアバッグジャケットを含む乗員保護装置において、エアバッグおよびエアバッグジャケットを統合管理して車体に加わる衝撃の状況に応じて両者を適宜作動させることができる自動二輪車乗員保護装置を提供することにある。
【課題を解決するための手段】
【０００６】
前記目的を達成するために、本発明は、乗員に対する外部からの衝撃を緩和する自動二輪車乗員保護装置において、乗員シートとステアリングハンドルとの間で膨張展開するように配置されたエアバッグと、乗員が着用するエアバッグジャケットと、外部から自動二輪車に対して与えられた衝撃に応答して出力を生じる複数の衝撃センサと、衝突予知手段と、前記衝撃センサの出力に基づいて得られる減速度および衝撃度がそれぞれのしきい値以上か否かで衝突と判定する衝突判定手段とを具備し、前記衝突判定手段が、衝突判定時に前記複数の衝撃センサ毎の出力に応じて前記エアバッグおよびエアバッグジャケットの少なくとも一方を作動させるとともに、前記衝突予知手段で衝突が予知されたか否かで、衝突待機判定モードか通常衝突判定モードかを選択し、これら各判定モードに応じて前記減速度および衝撃度のそれぞれのしきい値を切り替えるように構成された点に第１の特徴がある。
【０００７】
また、本発明は、前記衝突待機判定モードが、前記複数の衝撃センサ毎の出力に応じて正突、斜突、側突、および追突待機判定モードのうち、少なくとも正突待機判定モードを含む複数の判定モードを含んでいる点に第２の特徴がある。
【０００８】
また、本発明は、前記衝突予知手段が、車車間通信装置で複数の他車から発信された情報および自車情報に基づいて予定時間内に自車との接触位置に至ると予測される他車を特定するように構成されている点に第３の特徴がある。
【０００９】
また、本発明は、前記複数の他車から発信された情報が、該他車の位置、速度、および針路であり、前記自車情報が自車の速度である点に第４の特徴がある。
【００１０】
また、本発明は、前記他車から発信された情報が、該他車の車重をさらに含み、前記衝突待機判定モードに含まれる各判定モードは、自車と他車との相対速度および該他車の車重に応じて区別される高速衝突モードと低速衝突モードとをさらに含んでいる点に第５の特徴がある。
【００１１】
さらに、本発明は、前記衝突予知手段が、前記車車間通信装置に加えて路車間通信装置で検出される情報に基づいて衝突の予知をするように構成されている点に第６の特徴がある。
【発明の効果】
【００１２】
第１の特徴を有する本発明によれば、自動二輪車が衝撃を受けて衝撃センサが所定の減速度および衝撃度を示すしきい値以上の出力を生じたときに、エアバッグおよびエアバッグジャケットが作動する。また、複数の衝撃センサ毎の出力に応じて判断される衝撃の態様に応じてエアバッグおよびエアバッグジャケットの少なくとも一方を作動させる。さらに、所定時間以内の衝突が予知された場合は、通常衝突判定モードから衝突待機判定モードに切り替えて、衝撃センサに対する判定のしきい値を切り替える。これによって、衝突が予知できた場合は、その予知された衝突の態様に応じて適切に保護装置を作動させることができる。
【００１３】
第２の特徴を有する本発明によれば、自動二輪車に加わる衝撃の方向を複数に区別し、それぞれに応じて適切に保護装置を作動させることができる。
【００１４】
第３及び第４の特徴を有する本発明によれば、車車間通信装置で得られた情報により、例えば自車から死角となる他車に関しても自車に与える影響を予知し、適切に保護装置を作動させることができる。
【００１５】
第５の特徴を有する本発明によれば、車重と相対速度とによって自車が受ける衝撃の大きさを予想判定できるので、その衝撃の大きさに応じて適切に保護装置を作動させることができる。
【００１６】
第６の特徴を有する本発明によれば、路車間通信装置から得られる情報も加えてより一層高い精度で衝突を予知し、適切に保護装置を作動させることができる。
【発明を実施するための最良の形態】
【００１７】
以下、図面を参照して本発明の一実施形態を説明する。図２は、本発明の一実施形態に係る乗員保護装置とそてのエアバッグ装置（エアバッグモジュール）を備えた自動二輪車の左側面図であり、エアバッグジャケットを着用した乗員が搭乗している自動二輪車の図である。自動二輪車１は、フレームボディ２を有し、フレームボディ２の前部には操舵方向に回動自在に支持されたステアリングステム３が設けられる。ステアリングステム３の上部にはハンドル４が設けられ、ステアリングステム３の下部には前輪５を支持するフロントフォーク６が連結される。フレームボディ２のほぼ中央部には、枢軸７によってスイングユニット８が上下揺動自在に支持される。スイングユニット８は、エンジン、変速装置、および減速装置を備えている。スイングユニット８の後端はリヤクッション９によってフレームボディ２の後部に連結されている。スイングユニット８の出力軸１０には駆動輪である後輪１１が連結される。フレームボディ２の中央部から後部にかけた領域の上部には乗員シート１２が配置される。乗員シート１２は運転者席１２ａとその後方の同乗者席１２ｂとからなる。
【００１８】
フレームボディ２の前部にはエアバッグモジュール１３が設けられる。エアバッグモジュール１３はインフレータとエアバッグとを備え、予め設定した条件下でインフレータに点火され、発生するガスによってエアバッグが膨出展開する。図１では、展開した状態のエアバッグ１４を示す。エアバッグ１４は運転者席１２ａに着座した乗員１５の前方で膨張展開するように設定される。乗員１５は膨張空気室を備えたエアバッグジャケット１６を着用している。エアバッグジャケット１６は乗員１５の上半身に適合する形状を有するエアバッグと該エアバッグにガスを導入するインフレータを有する周知のものを使用できる。
【００１９】
エアバッグ１４とエアバッグジャケット１６を作動させる衝撃を検出するための衝撃検出手段としての加速度センサ１７がフロントフォーク６に設けられている。車体側面（両側面）と車体後部にもそれぞれ加速度センサ１８、１９が設けられる。加速度センサ１８は、フレームボディ２の中央下部の左右両側、例えばフレームボディ２を構成するロアチューブ２ａに取り付けられ、加速度センサ１９は、例えば車体後部のテールライトユニット内に収容される。
【００２０】
各加速度センサ１７〜１９の出力は図示しないエアバッグ用電子制御装置（ＥＣＵ）に入力され、エアバッグモジュール１３およびエアバッグジャケット１６の作動判断に供される。エアバッグモジュール１３とエアバッグジャケット１６のインフレータ（図示しない）には、前記ＥＣＵからの点火信号を入力可能なように図示しないハーネスが設けられる。
【００２１】
図１は、本実施形態に係る乗員保護装置のシステム構成図である。乗員保護装置は、エアバッグ１４、エアバッグジャケット１６、加速度センサ（Ｇセンサ）１７、１８、１９、車速センサ２０、ＥＣＵ２１、ＧＰＳアンテナ２２および車車間通信装置２３を備える。車車間通信装置２３は、同様の車車間通信装置を搭載している他の車両が所定距離内に接近した場合に、該他の車両との間で通信ネットワークを開設し、所定の情報を送受する。車車間通信装置２３は車車間通信アンテナおよび車車間通信モデム（２．４ギガヘルツ無線通信機）からなる。
【００２２】
ＥＣＵ２１は、通信開設部２１０、自車情報算出部２１１、他車情報抽出部２１２、衝突予知部２１３、通常衝突判定部２１４、待機時衝突判定部２１５、および保護装置作動指令部２１６を含み、これら各部の機能はマイクロコンピュータ（ＣＰＵ）およびメモリによって実現される。
【００２３】
通信開設部２１０は、車車間通信装置２３で受信した無線電波に基づいて所定距離内にいる他の車両を特定し、これら他車との双方向通信を開始する。自車情報算出部２１１は、ＧＰＳアンテナ２２で受信したＧＰＳ信号に基づいて走行中の自車の位置、方位、進路等を算出するとともに、車速センサ２０の検出信号から車速を算出し、これらを自車情報として車車間通信装置２３から発信する。他車情報抽出部２１２は、車車間通信装置２３の受信情報によって他車から送信された自車情報（つまり自車から見れば他車情報）を抽出する。
【００２４】
自車情報および他車情報は属性ＩＤと情報部分とからなる。属性ＩＤには、自車の重量や車体形状をそれぞれ示す重量ＩＤおよび車種ＩＤをさらに含む。車重は例えば１０００ｋｇ以上２５０ｋｇ毎に区分して重量ＩＤで表す。例えば、車重１０００ｋｇ未満は重量ＩＤ「０」、車重１０００ｋｇ以上１２５０ｋｇ未満は重量ＩＤ「１」、車重１２５０ｋｇ以上１５００ｋｇ未満は重量ＩＤ「２」等とする。また、車種ＩＤについては、例えばセダン形状は車種ＩＤ「０」、コンパクト形状は車種ＩＤ「１」、小型ミニバン形状は車種ＩＤ「２」等とする。
【００２５】
衝突予知部２１３は、自車情報および他車情報に基づいて自車と他車とが近い将来（例えば１秒後）に衝突する可能性の有無を判断する。この衝突可能性は双方通信を開設したすべての車両について判断する。そして、衝突可能性が高い車両、つまり、より短時間のうちに衝突の可能性がある他車から順に順位を付け、順位の高い他車を予定数選択し、衝突候補として抽出する。そして、この衝突候補を対象に待機時衝突判定部２１５で衝突の詳細なモードを判定する。すなわち、衝突角度や自車と他車との相対速度および他車の重量によって加わる衝撃の程度を判定する。
【００２６】
保護装置作動指令部２１６は自車情報および他車情報に基づいて衝突角度や衝撃の程度によって決定された判定モードに応じてエアバッグ１４、エアバッグジャケット１６の両方またはいずれか一方を作動させるかの選択および作動タイミングを決定する。作動タイミングは、衝撃センサである加速度センサ１７〜１９から生じる出力で衝突か否かを判定するしきい値に応じて決定される。加速度センサ１７〜１９の出力による減速度および衝撃度がそれぞれのしきい値を超えたときにエアバッグ１４用のインフレータ１４ａおよびエアバッグジャケット１６用のインフレータ１６ａに保護装置作動指示部２１６から点火指示が入力される。
【００２７】
通常衝突判定部２１４は、車車間通信装置を備えていない車両や障害物等との衝突判定を行う。車車間通信装置を備えていない車両や障害物への接近は予め予測できないので、待機時衝突判定部２１５で判定した衝突モードとは異なる基準で他車や障害物への衝突の有無を判定し、保護装置作動指令部２１６を動作させる。
【００２８】
衝突モード判定には、通常衝突判定モードと衝突待機判定モードとがあり、通常衝突判定モードには、正面衝突判定、側面衝突判定、斜突判定、および追突判定とがある。また、衝突待機判定モードには高速正突待機判定モード、低速正突待機判定モード、高速斜突待機判定モード、低速斜突待機判定モード、高速追突待機判定モード、および低速追突待機判定モードが設定される。
【００２９】
上記各判定モード毎に、エアバッグ１４やエアバッグジャケット１６を作動させるための減速度および衝撃度のしきい値と、作動タイミングを設定する。なお、「減速度」は加速度センサによって検出された加速度の積分、「衝撃度」は加速度から抽出される衝突の激しさ指数である。つまり、加速度データを全積分または区間積分して所定の短時間に車両が減速した度合を演算した値が減速度である。衝撃度は加速度データの周波数解析等によって演算した高周波振動や極短時間のエネルギ量である。
【００３０】
減速度と衝撃度のしきい値の一例は次の通りである。
【００３１】
「通常衝突判定モード」
通常衝突判定モードの正面衝突判定では加速度センサ１７によって検出された減速度が１００を超えたらエアバッグ１４を作動させ、エアバッグ１４の作動から０．１秒後にエアバッグジャケット１６を作動させる。通常衝突判定モードの側面衝突判定では左右の加速度センサ１８の一方で検出された減速度が１００を超えたらエアバッグジャケット１６を作動させる。また、通常衝突判定モードの斜突判定では加速度センサ１７で検出された減速度が１００を超えたらエアバッグ１４を作動させ、かつその０．１秒以内に加速度センサ１８で検出された衝撃度が所定値５０を超えたらエアバッグジャケット１６を作動させる。さらに、通常衝突判定モードの追突判定では、加速度センサ１９で検出された減速度が所定値１００を超えたらエアバッグジャケット１６を作動させる。
【００３２】
「高速正突待機判定モード」
高速正突待機判定モードの正面衝突判定および斜突判定では加速度センサ１７で検出された減速度が５０を超えたらエアバッグ１４およびエアバッグジャケット１６を同時に作動させる。側面衝突および追突判定は通常衝突判定モードと同じしきい値で衝突判定する。
【００３３】
「低速正突待機判定モード」
低速正突待機中判定モードの正面衝突判定および斜突判定では加速度センサ１７で検出された減速度が８０を超えたらエアバッグ１４を作動させ、エアバッグ１４が作動してから０．１秒後にエアバッグジャケット１６を作動させる。側面衝突および追突判定は通常衝突判定モードと同じしきい値で衝突判定する。 
【００３４】
「高速斜突待機判定モード」
高速斜突待機判定モードの正面衝突判定、斜突判定、側面衝突判定では加速度センサ１７で検出された減速度が５０を超えたらエアバッグ１４およびエアバッグジャケット１６を同時に作動させる。また、左右の加速度センサ１８の一方で検出された加速度データに基づく衝撃度が５０を超えたらエアバッグ１４およびエアバッグジャケット１６を同時に作動させる。追突判定は通常衝突判定モードと同じしきい値で衝突判定する。 
【００３５】
「低速斜突待機判定モード」
低速斜突待機判定モードの正面衝突判定、斜突判定、側面衝突判定では加速度センサ１７で検出された減速度が８０を超えたらエアバッグ１４を作動させる。また、エアバッグ１４の作動から０．１秒後にエアバッグジャケット１６を作動させる。また、左右の加速度センサ１８の一方で検出された加速度データに基づく衝撃度が５０を超えたらエアバッグおよびエアバッグジャケット１６を同時に作動させる。追突判定は通常衝突判定モードと同じしきい値で衝突判定する。 
【００３６】
「高速追突待機判定モード」
高速追突待機判定モードの追突判定では加速度センサ１９で検出された減速度が５０を超えたらエアバッグジャケットを作動させる。正面衝突、側面衝突、および斜突判定は通常衝突判定モードと同じしきい値で衝突判定する。 
【００３７】
「低速追突待機判定モード」
低速斜突待機判定モードの追突判定では加速度センサ１９で検出された減速度が８０を超えたらエアバッグジャケットを作動させる。正面衝突、側面衝突、および斜突判定は通常衝突判定モードと同じしきい値で衝突判定する。 
【００３８】
なお、上記衝突判定のための減速度および衝撃度のしきい値は一例であり、これに限定されない。要は、予測された衝突の激しさや衝突方向によって最適な保護装置を最適のタイミングで作動させればよい。上記しきい値の設定例から分かるように、衝突速度が高速で衝突程度が激しいと予測された場合はエアバッグ１４やエアバッグジャケット１６を早期に膨張展開または膨張させるために減速度や衝撃度のしきい値を低くして高速衝突に対応できるようにする。
【００３９】
また、エアバッグ１４に多段インフレータが設けられている場合は、衝突の激しさに応じてインフレータを多段で動作させるか遅延時間を設けず同時に複数のインフレータを同時点火させるかを選択することができる。低速衝突や衝突相手の他車が小型軽量であれば多段でインフレータに点火する。また、側面への衝突の場合はエアバッグ１４よりもエアバッグジャケット１６を先に作動させるし、斜めからの衝突の場合はエアバッグ１４およびエアバッグジャケット１６を同時に作動させる。さらに、正面からの衝突の場合は、先にエアバッグ１４を作動させ、その後所定の遅延時間をもってエアバッグジャケット１６を作動させる。
【００４０】
上記判定モードの切り替え動作をフローチャートを参照して説明する。図３および図４は判定モード切り替えのフローチャートである。まず図３において、ステップＳ１では通常衝突判定モードで衝突判定、つまり加速度センサ１７〜１９を監視する。ステップＳ２では、加速度センサ１７〜１９の出力により通常衝突判定モードのしきい値を使って衝突したか否かを判定する。ステップＳ２が肯定ならば、ステップＳ３に進み、衝突の態様に応じて保護装置つまりエアバッグ１４および／またはエアバッグジャケット１６を作動させる。
【００４１】
ステップＳ２が否定、つまり衝突と判定されなかった場合は、ステップＳ４に進んで、他車情報として他車の進行方向および速度を読み込み、かつ、自車の速度および自車と他車との距離を読み込む。ステップＳ５ではステップＳ４で読み込んだ他車情報と自車情報とに基づき、所定時間後、例えば１秒後に衝突の可能性が有るかどうかを判断する。ステップＳ５が肯定ならば通常衝突判定モードから衝突待機判定モードへ切り替えが行われ、ステップＳ６に進む。衝突の可能性があると判断されない場合はステップＳ５からステップＳ１に戻る。
【００４２】
図４において、衝突待機判定モードに移行して、ステップＳ６で衝突待機判定を開始し、ステップＳ７では、予想される衝突角度により、正面衝突（正突）、側面衝突（側突）、追突および斜め衝突（斜突）のいずれかになるかが判定される。
【００４３】
正突と判定されれば正突待機判定モードが選択されてステップＳ８に移行する。ステップＳ８では他車の速度、他車の重量、および自車の速度を読み込む。ステップＳ９では、ステップＳ８で読み込んだ情報から衝突のエネルギを推定し、その衝突のエネルギが所定値以上か否かで、激しい衝突か緩やかな衝突かを判断する。激しい衝突ならば、ステップＳ１０に進んで高速正突待機判定モードで加速度センサ１７〜１９の出力を監視する。緩やかな衝突ならば、ステップＳ１１に進んで低速正突待機判定モードで加速度センサ１７〜１９の出力を監視する。
【００４４】
ステップＳ７で側突または追突と判定されれば、側突・追突待機判定モードが選択されてステップＳ１２に移行する。ステップＳ１２では他車の速度、他車の重量、および自車の速度を読み込む。ステップＳ１３では、ステップＳ１２で読み込んだ情報から衝突のエネルギを推定し、その衝突のエネルギが所定値以上か否かで、激しい衝突か緩やかな衝突かを判断する。激しい衝突ならば、ステップＳ１４に進んで高速側突・追突待機判定モードで加速度センサ１７〜１９の出力を監視する。緩やかな衝突ならば、ステップＳ１５に進んで低速側突・追突待機判定モードで加速度センサ１７〜１９の出力を監視する。
【００４５】
また、ステップＳ７で斜突と判定されれば、斜突待機判定モードが選択されてステップＳ１６に移行する。ステップＳ１６では他車の速度、他車の重量、および自車の速度を読み込む。ステップＳ１７では、ステップＳ１６で読み込んだ情報から衝突のエネルギを推定し、その衝突のエネルギが所定値以上か否かで、激しい衝突か緩やかな衝突かを判断する。激しい衝突ならば、ステップＳ１８に進んで高速斜突待機判定モードで加速度センサ１７〜１９の出力を監視する。緩やかな衝突ならば、ステップＳ１９に進んで低速斜突待機判定モードで加速度センサ１７〜１９の出力を監視する。
【００４６】
ステップＳ２０では、加速度センサ１７〜１９の出力に基づいて衝突が発生したか否かが判断される。ステップＳ２０が肯定ならば、ステップＳ２１に進み、衝突の態様に応じて保護装置つまりエアバッグ１４および／またはエアバッグジャケット１６を作動させる。衝突が発生しなかった場合は、図示しないメインルーチンへ戻る。
【００４７】
上述のように、本実施形態によれば、エアバッグとエアバッグジャケットを統合管理するとともに車車間通信による衝突の予知を行い、予知された衝突の状況に応じたそれぞれの作動判定値に基づいて作動判定を行う。なお、衝突および衝突程度の予知手段として車車間通信装置による情報取得の例を示したが、車車間通信に限らず、路車間通信による走行支援サービス（ＡＨＳ）から障害物情報、路面情報、他車情報を得たり、レーダを使用した測距装置で他車や障害物と自車との距離情報を得たり、カメラで撮像された画像を解析したりして衝突予知をするシステムを併せて使用することもできる。
【００４８】
車車間通信装置を搭載して相互に走行情報を交信可能にし、該走行情報により自車両の走行に影響を与えることが予想される他車両を特定する車両の例が特開２００２−１８３８８９号公報に記載されている。本実施形態でも、この車車間通信装置と同様の車車間通信を利用して自車量の走行位置、走行速度、方位、針路等の情報を発信し、他車からの情報を受信することができる。
【００４９】
また、路車間通信の例としては、道路周辺に設けられた情報発信手段との間の路車間通信 により得た情報および他車との間の車車間通信により得た情報に基づいて自車を自動走行させる走行制御手段を備えた自動走行車両が特開平１０−３２０６９１号公報に記載されている。
【００５０】
なお、本発明は上記実施形態に限定されない。例えば、衝突待機判定モードは、正突、側突、斜突、および追突のすべてを含むものに限らず、少なくとも正突を含む複数のモードで衝突の判定ができるようにすればよい。すなわち、側突、斜突および追突の各待機判定モードの一つまたは二つを省略することができる。
【図面の簡単な説明】
【００５１】
【図１】本発明の一実施形態に係る自動二輪車乗員保護装置のシステム構成を示すブロック図である。
【図２】本発明の一実施形態に係る自動二輪車保護装置を備えた自動二輪車の側面図である。
【図３】本発明の一実施形態に係る自動二輪車乗員保護装置の要部処理を示すフローチャート（その１）である。
【図４】本発明の一実施形態に係る自動二輪車乗員保護装置の要部処理を示すフローチャート（その２）である。
【符号の説明】
【００５２】
１…自動二輪車、  ２…フレームボディ、  １４…エアバッグ、  １６…エアバッグジャケット、  １７〜１９…加速度センサ、  ２０…車速センサ、  ２１…ＥＣＵ、  ２２…ＧＰＳアンテナ、  ２３…車車間及び路車間通信装置
【図１】
2008247319.tif 000003
【図２】
2008247319.tif 000004
【図３】
2008247319.tif 000005
【図４】
2008247319.tif 000006